(57)【要約】【課    題】手首に巻き付けて用いるアクセサリーとしてのブレスレット、体操又はテニス等のスポーツ選手のサポータや健康増進に役立つテープの提供。【解決手段】  微粒子チタンを含む水溶液によって含浸加工した編テープであって、リング内面側に金属チタン微粉末入りの合成樹脂の層が配置されてなり、且つ両端部が粘着テープ又はファスナーテープによってワンタッチで連結し、リング状に形成可能なことを特徴とするワンタッチテープ。【選択図面】図３【実用新案登録請求の範囲】
【請求項１】
微粒子チタンを含む水溶液によって含浸加工した編テープであって、両端部がワンタッチで連結することによってリング状に形成可能なことを特徴とするワンタッチテープ。
【請求項２】
上記テープ両端に配置した粘着テープ又はファスナーテープによって両端部を固定してリング状が形成されてなることを特徴とする請求項１に記載のワンタッチテープ。
【請求項３】
上記テープのリング内面側にチタン微粉末入りの樹脂の層が設けられてなることを特徴とする請求項１又は２に記載のワンタッチテープ。
【請求項４】
上記樹脂が、シリコーン樹脂の層であることを特徴とする請求項１〜３のいずれかに記載のワンタッチテープ。
【請求項５】
上記テープのリング内面側に磁性層が設けられていることを特徴とする請求項１又は２に記載のワンタッチテープ。
【考案の詳細な説明】
【技術分野】
【０００１】
本考案は、手首に巻き付けて用いるアクセサリーとしてのブレスレット、体操又はテニス等のスポーツ選手のサポータ、人体の健康増進に役立つテープ、夏期に腕時計の下に巻くガーゼの代用又はオモチャ等にも利用できるワンタッチで連結可能なテープ（「ワンタッチテープ」）に関する。
また、ブレスレットとして、手首に巻き付けて用いる場合は、テープ表面に蛍光材、反射材を施したり、装飾模様等を施しても利用できるものである。
【背景技術】
【０００２】
従来、ブレスレットはエンドレスのリング状のものが多く、手首に付けるには手のひらをすぼめて通すのが一般的である。また、サポータは、ゴム製であるから必ずしも手のひらをすぼめる必要はないが、サポータを拡げて手のひらを通している。
また、夏期の汗対策として腕時計の下に巻くガーゼはリングではないので、手首に数回巻き付けて使用している。さらに、両端に接着部を設けた指巻テープが実用新案登録番号第３０３２７７８号に記載されているが、物忘れ防止を目的として指に巻く長さのテープに止まる。
【考案の開示】
【考案が解決しようとする課題】
【０００３】
このような従来のブレスレット、サポータ等を付けるときは、片方の手しか使えなかったり、太い腕、手首や足首等に取り付けた場合に嵩高いため違和感があったり、付け外しが面倒であったりするという問題があった。
また、腕、手首や足首に取り付けても装着部からずれてしまうということ、スポーツ選手のサポータは汗やほこりですぐに汚れ、洗濯を繰り返すとゴムの張力が弱まり、耐用期間が短いという問題もあった。さらに、これらのワンタッチテープでは、リング状に装着して血行増進等健康に役立つという考えはなかった。
【課題を解決するための手段】
【０００４】
本考案は、上記問題点に鑑みてなされたものであり、その目的とするところは太い腕、手首や足首に簡単に取り付けることのできるワンタッチテープを提供するものであり、その特徴とするところは、リング状に形成し得るチタン微粉末の微分散水を含浸させた編テープ状の材料からなるテープであって、編テープ状のテープ本体の両端にある粘着テープ又はファスナーテープにより容易にリング状を形成できるものであり、編テープ状のテープをリング状に形成したときに内面側に位置するテープの面に金属チタン微粉末入りのシリコーン樹脂の層が印刷されてなることである。また、内面側に磁性層を設けることも可能である。磁性層は、磁性金属であってもよいし、磁性を持つ成分であれば制限はない。さらに、リング状に形成された弾性伸縮性のあるテープ本体の表面には、蛍光材、反射材、装飾模様等を施すことも可能である。
【０００５】
本考案は、基本的には以下の構成からなる。
（１）微粒子チタンを含む水溶液によって含浸加工した編テープであって、両端部がワンタッチで連結することによってリング状に形成可能なことを特徴とするワンタッチテープ。
（２）上記テープ両端に配置した粘着テープ又はファスナーテープによって両端部を固定してリング状が形成されてなることを特徴とする（１）に記載のワンタッチテープ。
（３）上記テープのリング内面側にチタン微粉末入りの樹脂の層が設けられてなることを特徴とする（１）又は（２）に記載のワンタッチテープ。
（４）上記樹脂の層が、シリコーン樹脂の層であることを特徴とする（１）〜（３）のいずれかに記載のワンタッチテープ。
（５）上記テープのリング内面側に磁性層を設けられていることを特徴とする上記（１）又は（２）に記載のワンタッチテープ。
【考案の効果】
【０００６】
本考案のテープによれば、粘着テープ同士で接着することにより瞬時にリング状に変形することができるので、ブレスレットやサポータ等に利用すると、手首への装着が片手でも容易にできるばかりでなく、編テープ状であるため手首に嵩高くなく密着して取り付けることができ、取り外しの場合にも安全で簡単に取り外し操作ができる。本考案のテープを、腕、手首や足首に取り付けることによって、チタン層や磁性層の存在によって血行促進等健康増進に役立てることができる。
また、テープを装着した部位をテープ内側の面から血行促進等適度な刺激が与えられて装着感が極めてよい。さらに、テープ表面へ装飾模様や蛍光材、反射材を施したりすることもできる。
【考案を実施するための最良の形態】
【０００７】
以下、本考案を図面に示す実施の形態に基づいて詳細に説明する。
図１は、本考案のワンタッチテープで、腕、手首や足首等に装着する前の斜視図、図２は、テープ本体の両端を連結してリング状にしたときの本考案のワンタッチテープを示す。
【０００８】
図１は、本考案のワンタッチテープの斜視図、図２は本考案のワンタッチテープの断面図、図３は、本考案のワンタッチテープによってリング状が形成されたときの斜視図を示す。
【０００９】
図中、１は本考案のワンタッチテープ、２は微粒子チタンを含むチタン水を含浸した編テープ状のテープ本体、３はチタン微粉末入り合成樹脂を配置したテープ面、４は粘着面、５は非粘着面、６は両端の連結部を示す。チタン微粉末入りシリコーン樹脂層に代えて磁性層を設けることもできる（図示せず）。
上記ワンタッチテープを両端の粘着テープ等によって連結する場合、粘着剤粘着面４は、両端部で互いに内・外が逆転しており、粘着テープの粘着面同士を接着することにより接着部が嵩高くなく、テープ本体を容易にリング状を形成し得るようになっている。テープの一方の面（リングの内側）には、金属チタン微粉末入りシリコーン樹脂の層が印刷等によって配置されている。その反対面（外側の面）には、適宜の装飾が施されたり、蛍光体や反射材等によってさらに装飾性を増すことも可能である。
【００１０】
テープ本体２は、微粒子チタンを含む水溶液を含浸させたバイアスカット布や伸縮可能織布で形成されているので、伸縮可能であり、いかなるサイズにも対応可能であるばかりか、装着した際に腕、手首や足首等と密着しているために嵩張らずに安全に装着できるため装着感が良好で、テープ本体が装着部からずれたりし難い。
【００１１】
本考案のテープを腕のサポータとしてリング状に取り付ける例について示すと、サポータを取り付ける腕の外周部よりやや短い編テープを金属チタン微粉末入りシリコーン印刷された面を腕に接した状態で巻き付け、テープ両端の粘着テープ同士を接着させて腕に取り付ける。テープは、編テープ状になっているため、伸ばした状態で腕に巻き付けることができ、テープの収縮する力により腕に固定されるため、装着部からずれにくく、接着部がテープであり、かつ、密着しているために嵩張らず、安全に装着できて装着部が刺激されて装着感が良い。
また、テープが汚れた場合でも、粘着テープ同士の接着部を外して洗濯することができるので、取り外しが容易で、洗濯効率もよい。
なお、本考案の実施の形態は、種々の変更が可能であり、例えば直線形状２の寸法を長くすることにより、一重ではなく渦巻き状のブレスレットとして捲きつけることも可能である。
【００１２】
本考案のワンタッチテープを構成するテープ本体の繊維は、天然繊維及び／又は合成繊維を適宜組み合わせればよいが、ポリエステル繊維やポリウレタン繊維を主体とした素材からなるバイアスカット布や伸縮可能織布から形成されたものが好ましい。また、編テープ状に編みこまれ、編状であるので、微粒子チタンを含む水溶液による含浸加工に際しても、接触面が大きく均一に含浸させることが可能であるばかりか、テープにゴムのような伸縮性を与えている。いずれにしろ、両端部には連結のための粘着面によって無端状にしてリングを形成する必要があるが、該粘着面は、粘着テープを使用してもよいし、粘着テープに代えてファスナーテープを使用することも可能である。
【００１３】
テープ本体の表面には、装飾を施したり、蛍光体や反射材等を施したりすることもできるが、本考案のワンタッチテープにおいては、その裏面（皮膚に接触する面側）にはテープ素材に親和性のある樹脂素材に金属チタン微粉末を混入した配合物を配置するのが適当である。樹脂素材としてはシリコーン印刷が適当である。
本考案のワンタッチテープを構成する繊維製のテープ本体の含浸処理に用いる微粒子チタンを含む水溶液は、特願２０００−１３６９３２に開示されるように高圧水中で酸素と水素の混合ガスを燃焼させ、その燃焼ガスで金属チタンを熔融させたチタン熔融物が溶解した高機能水であり、このような微粒子チタンを含む水溶液で含浸加工することにより微粒子チタンが編状のテープ本体に十分、かつ安定に吸着・固定され、内面に配置したチタン微粉末入りの合成樹脂の層との相互作用によって健康増進機能を増進する。
【００１４】
本考案において、合成樹脂層に混入する金属チタン微粉末は、従来の金属粉末の製造法やチタン粉末の製造法は、高圧水中で酸素と水素の混合ガスを燃焼させ、その燃焼ガスで元素金属チタンを熔融させることによって水中に沈下した金属粉末であり、金属粉末以外の複製物や不純物等の生成が全くなく、得られた金属粉末の球状形状の均一性や粉末粒度の一定性がすぐれており、安価に製造でき（特願２００１−９１９４１号）、本考案ではこの金属チタン微粉末をシリコーン樹脂等の合成樹脂と均一に混合してテープの一面に印刷等の手段で配置している。
【００１５】
テープ本体の含浸処理及びテープ内面に配置された極く微量のチタン素材は、経時的な劣化や変質を受けることもなく、化学的に安定であり、人体に対して有害性もない。また、チタンや磁性材料等の層の持つ健康増進における有効性は、血行（血液循環）の促進や代謝の促進又は血液や細胞組織の活性化等の作用によるものと考えられる。
【図面の簡単な説明】
【００１６】
【図１】本考案のワンタッチテープの斜視図
【図２】本考案のワンタッチテープの断面図
【図３】本考案のワンタッチテープテープからリングを形成したときの斜視図
【符号の説明】
【００１７】
１  本考案のワンタッチテープ
２  チタン微粉末の分散水を含浸させた編テープ状のテープ本体
３  金属チタン微粉末入りシリコンーン樹脂の配置の層表面
４  テープ本体の両端にある粘着面
６  テープの連結部
【図１】
0003104434.tif 000002
【図２】
0003104434.tif 000003
【図３】
0003104434.tif 000004